(57)【要約】【課題】耐震性に優れ、施工作業が簡単なマンホールと下水本管との接続構造の提供。【解決手段】マンホールと下水本管との接続構造Ａは、鍔３１ａおよび止水用突起３１ｂを有し下水本管２の端部２１を外嵌する径小円筒部３１、折返部３２、径大円筒部３３とを順に有する本体ゴム３と、円管後部が径大円筒部３３に外嵌される円管４と、径小円筒部３１の外周に嵌め込まれる鉄製リング５と、径大円筒部３３の外周に取り付けられるステンレスバンド６とからなる可とうジョイントｊを、下水本管２の外周と取付穴１１の内壁との間の隙間にマンホール１内から押し込み、可とうジョイントｊの外周と取付穴１１の内壁との間の間隙にモルタルｍを充填してなる。マンホール１内から締付バンドを締め付ける必要がないので、現場の施工作業が容易に行え、手間や時間がかからない。【選択図】図１
2008280726.tif 000002
【特許請求の範囲】
【請求項１】
側壁に円形の取付穴を有し、立坑内に埋設されるマンホールと、
立坑へ連通する横穴に敷設され、前記取付穴へ臨む断面円形の下水本管と、
下水本管外周と取付穴内壁との間の隙間にマンホール内から押し込まれる可とうジョイントと、
ジョイント外周と取付穴内壁との間の間隙に充填されるシール材とを有するマンホールと下水本管との接続構造であって、
前記可とうジョイントは、
内壁面から筒内方へ突設する止水用突起を有し、前記取付穴へ推進させた前記下水本管の端部を外嵌する径小円筒部、筒外方向へ延びる折返部、および立坑内壁から遠ざかる方向に延びる等径の径大円筒部を順に有する可とう性円筒体と、
立坑内壁に近い方の円管後部が前記径大円筒部に外嵌され、前記径小円筒部を囲む様に延びる等径の鋼製円管と、
前記径小円筒部の外周に嵌め込まれる剛性リングと、
前記径大円筒部の外周に取り付けられる締付具とからなることを特徴とするマンホールと下水本管との接続構造。
【請求項２】
側壁に円形の取付穴を有し、立坑内に埋設されるマンホールと、
立坑へ連通する横穴に敷設され、前記取付穴へ臨む断面円形の下水本管と、
下水本管外周と取付穴内壁との間の隙間にマンホール内から押し込まれる可とうジョイントと、
ジョイント外周と取付穴内壁との間の間隙に充填されるシール材とを有するマンホールと下水本管との接続構造であって、
前記可とうジョイントは、
筒外方向へ延びる鍔および内壁面から筒内方へ突設する止水用突起を有し、前記取付穴へ推進させた前記下水本管の端部を外嵌する等径の径小円筒部、筒外方向へ延びる折返部、および立坑内壁から遠ざかる方向に延びる等径の径大円筒部を順に有する可とう性円筒体と、
立坑内壁に近い方の円管後部が前記径大円筒部に外嵌され、前記径小円筒部を囲む様に延びる等径の鋼製円管と、
前記径小円筒部の外周に嵌め込まれる剛性リングと、
前記径大円筒部の外周に取り付けられる締付具とからなることを特徴とするマンホールと下水本管との接続構造。
【請求項３】
前記下水本管は、樹脂製であることを特徴とする請求項１または請求項２に記載のマンホールと下水本管との接続構造。
【発明の詳細な説明】
【技術分野】
【０００１】
本発明は、マンホールと下水本管との接続構造に関する。
【背景技術】
【０００２】
筒状可とう体の他端を筒状体に固定し、立坑内から一端側の締付バンドを締め付けることにより管の外周に筒状可とう体を締め付け圧着固定し、筒状体の外周をマンホール用充填材によって固定したマンホール構造用止水可とう継手が知られている（特許文献１参照    
【特許文献１】特許第３５９７７８９号公報
【発明の開示】
【発明が解決しようとする課題】
【０００３】
上記特許文献１のマンホール構造用止水可とう継手は、立坑内から締付バンドを締め付ける必要がある。
つまり、締付バンドを締め込むには、円管と筒状可とう体との間にドライバを入れる必要があり、筒状体の内径を大きくしなければならず、取付穴が大きくなる。従って、マンホールの強度の低下を招くとともに不経済である。
【０００４】
本発明の目的は、耐震性に優れ、施工作業が簡単なマンホールと下水本管との接続構造の提供にある。
【課題を解決するための手段】
【０００５】
（請求項１について）
マンホールは、立坑内に埋設され、円形の取付穴を側壁に有している。
断面円形の下水本管は、立坑へ連通する横穴に敷設され、取付穴へ臨んでいる。
【０００６】
可とうジョイントは、内壁面から筒内方へ突設する止水用突起を有し取付穴へ推進させた下水本管の端部を外嵌する径小円筒部、筒外方向へ延びる折返部、立坑内壁から遠ざかる方向に延びる等径の径大円筒部とを順に有する可とう性円筒体と、立坑内壁に近い方の円管後部が径大円筒部に外嵌され、径小円筒部を囲む様に延びる等径の鋼製円管と、径小円筒部の外周に嵌め込まれる剛性リングと、径大円筒部の外周に取り付けられる締付具とからなる。この可とうジョイントは、下水本管外周と取付穴内壁との間の隙間にマンホール内から押し込まれる。
シール材は、ジョイント外周と取付穴内壁との間の間隙に充填される。
【０００７】
マンホールと下水本管との接続は、以下の様に行う。
工場で以下の様に可とうジョイントを製造する。剛性リングを可とう性円筒体の径小円筒部の外周に嵌め込み、鋼製円管の円管後部を可とう性円筒体の径大円筒部に外嵌させ、径大円筒部の外周に取り付けた締付具を締め付けて鋼製円管を可とう性円筒体の径大円筒部に固定する。
【０００８】
下水本管を横穴内で推進させ、取付穴へ臨ませる。
工場で組み付けた可とうジョイントを施工現場に運び、下水本管外周と取付穴内壁との間の隙間にマンホール内から押し込む。
ジョイント外周と取付穴内壁との間の間隙にシール材を充填する。
シール材が乾くと、可とうジョイントがマンホールの取付穴に固定され、下水本管は可とうジョイントにより、可とう性能を有する。
【０００９】
請求項１のマンホールと下水本管との接続は、以下の利点を有する。
工場で可とうジョイントを組み付けているため、施工現場では、下水本管外周と取付穴内壁との間の隙間にマンホール内から可とうジョイントを押し込み、ジョイント外周と取付穴内壁との間の間隙にシール材を充填し、シール材が乾くのを待つ。
シール材が乾くと、可とうジョイントがマンホールの取付穴に固定され、下水本管は可とうジョイントにより、可とう性能を有する。つまり、マンホール内から締付バンド等を締め付ける必要がないので、現場の施工作業が容易に行え、手間や時間がかからない。
【００１０】
なお、可とう性円筒体の径小円筒部の内壁面から筒内方へ止水用突起を突設し、可とう性円筒体の径小円筒部の外周に剛性リングを嵌め込んでいるので、可とうジョイントを隙間に押し込むと、止水用突起が下水本管に圧着するため止水性が得られる。なお、下水本管の形状が若干、変形していても、剛性リングにより、止水用突起が下水本管に圧着して径小円筒部の前部内周が下水本管外周に密着するので止水性が確保できる。
【００１１】
可とう性円筒体と下水本管とが接着剤で接着していないので、可とうジョイントの嵌め込みに失敗しても、姿勢修正や嵌め直しができる。また、可とう性円筒体と下水本管とを接着剤で接着していないので、極寒期や極暑期でも施工することができる。
【００１２】
（請求項２について）
マンホールは、立坑内に埋設され、円形の取付穴を側壁に有している。
断面円形の下水本管は、立坑へ連通する横穴に敷設され、取付穴へ臨んでいる。
【００１３】
可とうジョイントは、筒外方向へ延びる鍔および内壁面から筒内方へ突設する止水用突起を有し取付穴へ推進させた下水本管の端部を外嵌する等径の径小円筒部、筒外方向へ延びる折返部、立坑内壁から遠ざかる方向に延びる等径の径大円筒部とを順に有する可とう性円筒体と、立坑内壁に近い方の円管後部が径大円筒部に外嵌され、径小円筒部を囲む様に延びる等径の鋼製円管と、径小円筒部の外周に嵌め込まれる剛性リングと、径大円筒部の外周に取り付けられる締付具とからなる。この可とうジョイントは、下水本管外周と取付穴内壁との間の隙間にマンホール内から押し込まれる。
シール材は、ジョイント外周と取付穴内壁との間の間隙に充填される。
【００１４】
マンホールと下水本管との接続は、以下の様に行う。
工場で以下の様に可とうジョイントを製造する。鍔を跨いで剛性リングを可とう性円筒体の径小円筒部の外周に嵌め込み、鋼製円管の円管後部を可とう性円筒体の径大円筒部に外嵌させ、径大円筒部の外周に取り付けた締付具を締め付けて鋼製円管を可とう性円筒体の径大円筒部に固定する。
【００１５】
下水本管を横穴内で推進させ、取付穴へ臨ませる。
工場で組み付けた可とうジョイントを施工現場に運び、下水本管外周と取付穴内壁との間の隙間にマンホール内から押し込む。
ジョイント外周と取付穴内壁との間の間隙にシール材を充填する。
シール材が乾くと、可とうジョイントがマンホールの取付穴に固定され、下水本管は可とうジョイントにより、可とう性能を有する。
【００１６】
請求項２のマンホールと下水本管との接続は、以下の利点を有する。
工場で可とうジョイントを組み付けているため、施工現場では、下水本管外周と取付穴内壁との間の隙間にマンホール内から可とうジョイントを押し込み、ジョイント外周と取付穴内壁との間の間隙にシール材を充填し、シール材が乾くのを待つ。
シール材が乾くと、可とうジョイントがマンホールの取付穴に固定され、下水本管は可とうジョイントにより、可とう性能を有する。つまり、マンホール内から締付バンド等を締め付ける必要がないので、現場の施工作業が容易に行え、手間や時間がかからない。
【００１７】
なお、可とう性円筒体の径小円筒部の内壁面から筒内方へ止水用突起を突設し、可とう性円筒体の径小円筒部の外周に剛性リングを嵌め込んでいるので、可とうジョイントを隙間に押し込むと、止水用突起が下水本管に圧着するため止水性が得られる。なお、下水本管の形状が若干、変形していても、剛性リングにより、止水用突起が下水本管に圧着して径小円筒部の前部内周が下水本管外周に密着するので止水性が確保できる。
【００１８】
可とう性円筒体と下水本管とが接着剤で接着していないので、可とうジョイントの嵌め込みに失敗しても、姿勢修正や嵌め直しができる。また、可とう性円筒体と下水本管とを接着剤で接着していないので、極寒期や極暑期でも施工することができる。
【００１９】
可とう性円筒体の径小円筒部に筒外方向へ延びる鍔を設けているので、径小円筒部の前部外周に嵌め込んだ剛性リングの抜けを防止できる。
【００２０】
（請求項３について）
下水本管は、樹脂製であるため、管表面が滑らかである。
可とうジョイントを隙間に押し込むと、剛性リングにより径小円筒部が拘束され、止水用突起が、表面が滑らかな下水本管を押圧するため確実に止水することができる。
なお、下水本管の形状が若干、変形していても、剛性リングにより、止水用突起が下水本管に圧着して径小円筒部の内周が下水本管外周に密着するので高い止水性が確保できる。
【発明を実施するための最良の形態】
【００２１】
マンホールと下水本管との接続構造は、鍔および止水用突起を有し下水本管の端部を外嵌する径小円筒部、筒外方向へ延びる折返部、径大円筒部とを順に有する可とう性円筒体と、円管後部が径大円筒部に外嵌され、径小円筒部を囲む様に延びる等径の鋼製円管と、径小円筒部の外周に嵌め込まれる剛性リングと、径大円筒部の外周に取り付けられる締付具とからなる可とうジョイントを、下水本管外周と取付穴内壁との間の隙間にマンホール内から押し込み、ジョイント外周と取付穴内壁との間の間隙にシール材を充填して施工する。
【００２２】
可とうジョイントを工場で組み付ければ、施工現場では、上記隙間に可とうジョイントを押し込んで、上記間隙にシール材を充填し、シール材が乾くのを待つ。
シール材が乾くと、可とうジョイントがマンホールの取付穴に固定され、下水本管は可とうジョイントにより、可とう性能を有する。つまり、マンホール内から締付バンド等を締め付ける必要がないので、現場の施工作業が容易に行え、手間や時間がかからない。
下水本管をマンホールの取付穴に固定することができる。
なお、可とう性円筒体の径小円筒部の内壁面から筒内方に止水用突起を突設し、径小円筒部の外周に剛性リングを嵌め込んでいるので、可とうジョイントを隙間に押し込むと、止水用突起が下水本管の外周面に圧着するため止水性が得られる。
【実施例１】
【００２３】
本発明の実施例１（請求項１〜３に対応）を図１〜図３に基づいて説明する。
図に示す如く、マンホールと下水本管との接続構造Ａは、マンホール１と、取付穴１１へ臨む下水本管２と、下水本管２の外周と取付穴１１の内壁との間の隙間ｓにマンホール１内から押し込まれる可とうジョイントｊと、可とうジョイントｊの外周と取付穴１１の内壁との間の間隙ｋに充填されるモルタルｍ（シール材）とからなる。
【００２４】
マンホール１（コンクリート製）は、側壁１２に略円形の取付穴１１を有し、立坑１３内に埋設される。
下水本管２（塩化ビニル製）は、断面円形であり、立坑１３へ連通する横穴内に敷設される。
【００２５】
可とうジョイントｊは、本体ゴム３（可とう性円筒体）と、等径の円管４（鋼製円管）と、鉄製リング５（剛性リング）と、ステンレスバンド６（締付具）とからなる。
本体ゴム３は、等径の径小円筒部３１、筒外方向へ延びる折返部３２、および等径の径大円筒部３３を順に有する。
【００２６】
本体ゴム３の径小円筒部３１は、筒外方向へ延びる鍔３１ａおよび内壁面から筒内方へ突設する角状の止水用突起３１ｂを一体に備え、取付穴１１へ推進させた下水本管２の端部２１を外嵌している。
本体ゴム３の径大円筒部３３は、径小円筒部３１の略半分の寸法を有し、立坑内壁から遠ざかる方向に延びている。
【００２７】
円管４は、外径が取付穴１１の内径より径小で、筒内径が下水本管２の外径より径大な円筒管である。なお、立坑１３の内壁に近い側を後側と規定している。この円管４は、立坑内壁に近い方の円管後部が本体ゴム３の径大円筒部３３に外嵌され、径小円筒部３１を囲む様に円管前部が前方へ延びている。
【００２８】
鉄製リング５は、本体ゴム３の径小円筒部３１の外周に嵌め込まれている。
ステンレスバンド６は、ネジを廻すとステンレスベルトが縮径する構造のステンレスバンドである。このステンレスバンド６は、本体ゴム３の径大円筒部３３の外周に形成した凹溝に取り付けられ、円管４の円管後部を本体ゴム３の径大円筒部３３に工場内でネジを廻して固定している。
【００２９】
つぎに、可とうジョイントｊを用いた、マンホールと下水本管との接続構造Ａの施工方法について説明する。
（１）以下の手順で可とうジョイントｊを工場で製造する。
鍔３１ａを跨いで鉄製リング５を本体ゴム３の径小円筒部３１の外周に嵌め込み、円管４の円管後部を本体ゴム３の径大円筒部３３に外嵌させ、径大円筒部３３の外周の凹溝に取り付けたステンレスバンド６のネジを廻して円管４の円管後部を本体ゴム３の径大円筒部３３に固定する｛図２の（ａ）、（ｂ）参照｝。
【００３０】
（２）下水本管２を横穴内で推進させて端部２１をマンホール１内へ臨ませる。
工場で製造した可とうジョイントｊを施工現場へ運び、折返部３２を先にして、マンホール１内から可とうジョイントｊを、取付穴１１の内壁と下水本管２との間の隙間ｓに押し込む｛図３の（ａ）、（ｂ）参照｝。この際、本体ゴム３の径小円筒部３１の内壁面から下方へ突設する止水用突起３１ｂと、径小円筒部３１の前部外周に嵌め込んだ鉄製リング５とにより、隙間ｓに押し込むと、止水用突起３１ｂが下水本管２の外周を押圧する。  
【００３１】
（３）マンホール１内から、可とうジョイントｊの外周と取付穴１１の内壁との間の間隙ｋにモルタルｍを充填する。
モルタルｍが乾くと可とうジョイントｊがマンホール１の取付穴１１に固定される。しかし、可とうジョイントｊと下水本管２とは本体ゴム３により可とう性を有する。
【００３２】
本実施例のマンホールと下水本管との接続構造Ａは、以下の利点を有する。
工場で可とうジョイントｊを組み付けて施工現場へ運んでいるため、施工現場では、下水本管２の外周と取付穴１１の内壁との間の隙間ｓにマンホール１内から可とう可とうジョイントｊを押し込み、ジョイント外周と取付穴１１の内壁との間の間隙ｋにモルタルｍを充填するだけで、下水本管２をマンホール１の取付穴１１に簡単に固定することができる。つまり、マンホール１内から締付具（ステンレスバンド等）を締め付ける必要がないので、現場の施工作業が容易に行え、手間や時間がかからない。
【００３３】
本体ゴム３の径小円筒部３１の内壁面から筒内方へ止水用突起３１ｂを突設し、径小円筒部３１の外周に鉄製リング５を嵌め込んでいるので、可とうジョイントｊを隙間ｓに押し込むと、止水用突起３１ｂが下水本管２に圧着するため止水性が得られる。なお、断面円形の下水本管２の形状が若干、変形していても、鉄製リング５により、止水用突起３１ｂが下水本管２に圧着して径小円筒部３１の内周が下水本管２の外周に密着するので止水性が確保できる。
【００３４】
本体ゴム３と下水本管２とが接着剤で接着していないので、可とうジョイントｊの嵌め込みに失敗しても、姿勢修正や嵌め直しが何度でもできる。また、本体ゴム３と下水本管２とを接着剤で接着していないので、極寒期や極暑期でも施工することができる。
【００３５】
本体ゴム３の径小円筒部３１に筒外方向へ延びる鍔３１ａを設けているので、径小円筒部３１の外周に嵌め込んだ鉄製リング５の抜けを防止できる。
【００３６】
本発明のマンホールと下水本管との接続構造は、上記実施例以外に、つぎの実施態様を含む。
ａ．本体ゴム７を下水本管２に装着し易くするため、折返部７２の端面をテーパにしても良い。なお、７１ａは止水用突起、７２は折返部である（図４に対応）。
ｂ．剛性リングの材質は、鉄以外に、プラスチックであっても良い。
ｃ．鉄製リング５（剛性リング）は、本体ゴム７の径小円筒部７１の全周に嵌め込まれていなくても良く、前部外周のみでも良い（図４参照）。
ｄ．図５に示す様に、マンホールと下水本管との接続構造は、本体ゴム８に折り返し部が無い構造でも良い。なお、８１は拡張リング、８２は剛性リング、４は円管である。
【図面の簡単な説明】
【００３７】
【図１】実施例１に係る、マンホールと下水本管との接続構造を説明するための断面図である。
【図２】実施例１のマンホールと下水本管との接続構造において、（ａ）は本体ゴムに円管および鉄製リングを取り付けるところを示す断面図であり、（ｂ）はそれらを取り付けた可とうジョイントの断面図である。
【図３】実施例１のマンホールと下水本管との接続構造において、（ａ）は可とうジョイントを隙間に押し込むところを示す断面図、（ｂ）は可とうジョイントを隙間に押し込んだところを示す断面図である。
【図４】マンホールと下水本管との接続構造の変形例に係る可とうジョイントを説明するための断面図である。
【図５】マンホールと下水本管との接続構造の変形例に係る可とうジョイントを説明するための断面図である。
【符号の説明】
【００３８】
１  マンホール
２  下水本管
３、７、８  本体ゴム（可とう性円筒体）
４  円管（鋼製円管）
５、８２  鉄製リング（剛性リング）
６  ステンレスバンド（締付具）
１１  取付穴
１２  側壁
１３  立坑
３１ｂ、７１ａ  止水用突起
３１、７１  径小円筒部
３２、７２  折返部
３３  径大円筒部
Ａ  マンホールと下水本管との接続構造
ｊ  可とうジョイント
ｓ  隙間
ｋ  間隙
ｍ  モルタル（シール材）
【図１】
2008280726.tif 000003
【図２】
2008280726.tif 000004
【図３】
2008280726.tif 000005
【図４】
2008280726.tif 000006
【図５】
2008280726.tif 000007